(57)【特許請求の範囲】
【請求項１】
リールを釣竿に脱着自在に装着するためのリールシートであって、
リールの取付脚を載置する載置部と、前記載置部の端部に設けられ前記リールの取付脚の一端側を係止するための固定係止部と、前記固定係止部に対して軸方向に間隔を隔てて配置された雄ネジ部とを有するシート部と、
前記固定係止部に対向して配置され前記雄ネジ部の外周に前記軸方向に移動可能に装着される略筒状の移動リングと、
前記雄ネジ部に螺合可能な雌ネジ部を有し、前記移動リングと一体で前記軸方向に移動可能なナット部とを備え、
前記移動リングの内周面は、前記ナット部が位置する反対側の端部から軸方向に平坦な平坦部と、前記平坦部より前記ナット部側に徐々に小径になるように連続して形成されたテーパ部と、前記テーパ部の前記ナット部側に連続して形成され径方向に起立し、前記リールの取付脚の他端側の先端が当接可能な壁面部とを有し、
前記テーパ部または前記平坦部は、いずれかが前記リールの取付脚の前記軸方向と直交する断面部分の幅方向２点と当接可能なものである
ことを特徴とするリールシート。
【発明の詳細な説明】
【０００１】
【発明の属する技術分野】
本発明は、リールを釣竿に脱着自在に装着するためのリールシート、特に、ナット式と呼ばれるリールシートに関する。
【０００２】
【従来の技術】
釣竿には、スピニングリールや両軸受リール等の釣り用リールを取り付けるためのナット式リールシートが設けられている。このリールシートは、一般的に、リールの取付脚の一端側を係止する係止部と雄ネジ部とを有するシート本体と、移動シート部と、ナット部とを備えている。移動シート部は、リール取付脚の他端側を係止する係止部を有し、シート本体に対して相対移動可能である。ナット部は、雄ネジ部に螺合して移動シート部を移動させる。
【０００３】
このようなリールシートでは、リールの取付脚の一端をシート本体の係止部に係止した状態でナット部を回転させて、移動シート部の係止部をシート本体の係止部に接近させ、移動シート部の係止部で取付脚の他端を係止しかつ両係止部で取付脚を挟持することによって釣り用リールを竿体に固定する。
【０００４】
【発明が解決しようとする課題】
上記従来のリールの取付脚は、通常、その上面及び下面が幅方向に湾曲して曲面となっている。そのリール取付脚の曲面は、竿体周面及びナット部内周面の湾曲度より大きく（一般的には１５Ｒ程度である）、しかも、軸方向先端部を1.5ｍｍ程度の肉厚として、軸方向にかけてテーパ状に立ち上がっている。これに対し、従来のナット部内周面の形状は、内面筒状若しくは内面円錐状となっている。このため、リール取付脚をナット部に取り付ける際には、リール取付脚の先端部またはテーパ部途中部分で接触して固定されるのみであり、取り付けるリールによってはナット部に十分に係止されず、使用時にがたついたりする恐れがある。
【０００５】
本発明の課題は、安定した状態で様々な形状，大きさの釣り用リールを竿体に係止可能なリールシートを提供することにある。
【０００６】
【課題を解決するための手段】
本発明１にかかるリールシートは、リールを釣竿に脱着自在に装着するためのリールシートであって、
リールの取付脚を載置する載置部と、前記載置部の端部に設けられ前記リールの取付脚の一端側を係止するための固定係止部と、前記固定係止部に対して軸方向に間隔を隔てて配置された雄ネジ部とを有するシート部と、前記固定係止部に対向して配置され前記雄ネジ部の外周に前記軸方向に移動可能に装着される略筒状の移動リングと、前記雄ネジ部に螺合可能な雌ネジ部を有し、前記移動リングと一体で前記軸方向に移動可能なナット部とを備え、前記移動リングの内周面は、前記ナット部が位置する反対側の端部から軸方向に平坦な平坦部と、前記平坦部より前記ナット部側に徐々に小径になるように連続して形成されたテーパ部と、前記テーパ部の前記ナット部側に連続して形成され径方向に起立し、前記リールの取付脚の他端側の先端が当接可能な壁面部とを有し、前記テーパ部または前記平坦部は、いずれかが前記リールの取付脚の前記軸方向と直交する断面部分の幅方向２点と当接可能なものであることを特徴とする。
【０００７】
このリールシートでは、リールの取付脚を載置部に載置し、リールの取付脚の一端側を固定係止部に係止させた状態でナット部の雌ネジ部を本体部の雄ネジ部に螺合させて一方向に回転させると、ナット部に押し出されて移動リングが固定係止部に近接して、リールの取付脚の他端側を移動リングと竿体との間において係止する。即ち、固定係止部と移動リングとでリールの取付脚を挟持して固定することになる。ここで、リールの取付脚は、その大きさに関わらず、壁面部で１点，テーパ部または平坦部のいずれかにおいて２点の計３点において移動リング内周面と接触して係止される。この結果、様々な大きさのリールを十分安定した状態でリールシートに装着可能である。
【０００８】
【発明の実施の形態】
本発明の一実施形態を採用した釣竿は、図１に示すように、竿体１と竿体１の竿元側端部に配置された竿元グリップ２と、竿体１の穂先側に配置されたリールシート３とを有している。
竿体１は炭素繊維，ガラス繊維等の強化繊維に合成樹脂を含浸させたプリプレグをマンドレルに巻回して得た先細り筒状部材であり、複数の竿体を並継形式に連結してなるものである。竿体１には複数の釣糸ガイド４が所定の間隔を隔てて配置されており、穂先側端部にはトップガイド５が配置される。そして、リールからの釣糸はこの釣糸ガイド４を介してトップガイド５へと導かれることになる。
【０００９】
図２に詳しく示すように、リールシート３は、竿体１の外周面に装着されたパイプ状部材１０と、パイプ状部材１０の外周面にはめ込まれて固定された略筒状のスペーサ１１と、スペーサ１１の竿元側に連結されつつパイプ状部材１０の外周面に配置された固定係止部１２とを有している。さらに、パイプ状部材１０の穂先側外周面にはパイプ状部材１０上を軸方向に移動自在に配置された移動リング１３と、移動リング１３の穂先側に配置されたナット部１４と、ナット部１４の外周に配置された前グリップ１５とを有している。
【００１０】
パイプ状部材１０は、内部に竿体１が貫通して装着される合成樹脂等を成型して得られた部材である。このパイプ状部材１０の穂先側外周面にはネジ山が形成されており雄ネジ部１０ａとなっている。また、パイプ状部材１０の左右方向（リール装着方向を上下方向とする）には、周内方向にやや凹入したレール１０ｂがそれぞれ軸方向に連続して形成されている。
【００１１】
スペーサ１１は内部にパイプ状部材１０が貫通して装着される合成樹脂または金属等から形成される部材である。そして、リールの取付脚Ｒを載置可能に平坦に形成された載置部２０を有している。この載置部２０は、スペーサ１１の周方向の一部が軸方向に平坦になるように連続して切り欠かれて平面状に形成された部分である。また、固定係止部１２は、スペーサ１１の竿元側にスペーサ１１と一体的に形成され載置部２０の竿元側の一部を覆うようにフード状に形成された部材である。このフード内に載置部２０に載置したリールの取付脚Ｒの一端が挿入され係止される。
【００１２】
図３及び図４に詳しく示すように、移動リング１３は、内径がパイプ状部材１０の外径よりやや大きい寸法の略円筒形部材であり、パイプ状部材１０の外周面上を軸方向に移動可能である。この移動リング１３の内周面には、載置部２０側（ナット部１４が位置する反対側）の開口端部から軸方向に平坦に形成された平坦部２１と、平坦部２１よりナット部１４側に徐々に小径になるように連続して形成されたテーパ部２２と、テーパ部２２のナット部１４側に連続して形成され径方向（竿体１の軸方向に直交する方向）に起立した壁面部２３とを有している。移動リング１３は、固定係止部１２に対向して配置されリールの取付脚Ｒの他端（穂先）側の先端を係止するための部分であり、移動リング１３がパイプ状部材１０上を竿元側に移動すると載置部２０上に位置し載置部２０の穂先側部分を覆いかつその間にリールの取付脚Ｒが挿入可能な空間が生じるように設計されている。
【００１３】
また、載置部２０に対して周方向に９０度変位した移動リング１３内周面には、径内方向に突出した１対の突出部３０が形成されている。突出部３０はパイプ状部材１０のレール１０ｂに滑動可能に嵌入され、移動リング１３の周方向への回転を制御している。即ち、後に詳しく述べるナット部１４の軸方向への移動に伴って、この移動リング１３は周方向に回転することなく軸方向に移動する。
【００１４】
図２に示すように、ナット部１４は内周面にパイプ状部材１０の雄ネジ部１０ａに螺合可能な雌ネジ部を有する筒状部材である。竿元側は移動リング１３に相対回転可能に係止されている。そして、ナット部１４をパイプ状部材１０上で周方向に回転させることで竿体１の軸方向に移動する。また、ナット部１４の外周面にはコルク材やポリウレタンゴム等からなる前グリップ１５が配置されている。
【００１５】
このように構成された釣竿では、リールの取付脚Ｒを載置部２０に載置し、リールの取付脚Ｒの一端側を固定係止部１２に係止させた状態でナット部１４をパイプ状部材１０上で一方向に回転させると、ナット部１４及び前グリップ１５が竿元側に移動する。このナット部１４に押し出されて移動リング１３が固定係止部１２に近接し、移動リング１３がリールの取付脚Ｒの他端側を係止する。即ち、固定係止部１２と移動リング１３とでリールの取付脚Ｒを挟持して固定することになる。
【００１６】
ここで、リールの取付脚Ｒは一般的に幅方向において湾曲しているが、その大きさに関わらず、壁面部２３で一点，テーパ部２２または平坦部２１のいずれかにおいて２点の計３点において移動リング１３内周面と接触して係止される。具体的には、例えば、リールの取付脚Ｒが比較的大きい場合は、図３及び図４に示すように、リールの取付脚Ｒの先端が壁面部２３に当接し（点Ａ１）、リールの取付脚Ｒの先端からやや固定係止部１２側部分においては、リールの取付脚Ｒの断面湾曲部分の幅方向２点においてそれぞれ平坦部２１に当接する（点Ｂ１）。また、リールの取付脚Ｒが比較的小さい場合には、図５及び図６に示すように、リールの取付脚Ｒの先端が壁面部２３に当接し（点Ａ２）、リールの取付脚Ｒの先端からやや固定係止部１２側部分においては、リールの取付脚Ｒの断面湾曲部分の幅方向２点においてそれぞれテーパ部２２に当接する（点Ｂ２）。このように、様々な大きさのリールの取付脚Ｒを移動リング１３の３点で十分安定した状態でリールシートに装着可能である。
【００１７】
【発明の効果】
本発明に係るリールシートによれば、様々なリールを十分に安定した状態で装着可能である。
【図面の簡単な説明】
【図１】本発明の一実施形態を採用した釣竿の全体図。
【図２】図１のリールシート付近の拡大断面図。
【図３】図２の移動リング１３付近の拡大図。
【図４】図３のIV−IV矢視図。
【図５】図２の移動リング１３付近の拡大図。
【図６】図５のVI−VI矢視図。
【符号の説明】
１ 竿体
３ リールシート
１０ パイプ状部材
１１ スペーサ
１２ 固定係止部
１３ 移動リング
１４ ナット部
１５ 前グリップ
２０ 載置部
２１ 平坦部
２２ テーパ部
２３ 壁面部
【図１】
0003948693.tif 000002
【図２】
0003948693.tif 000003
【図３】
0003948693.tif 000004
【図４】
0003948693.tif 000005
【図５】
0003948693.tif 000006
【図６】
0003948693.tif 000007